(57)【特許請求の範囲】
【請求項１】
積もった雪の側圧により家屋の窓が割れるのを防護する窓割れ防護装置の取付構造であって、
前記窓割れ防護装置は、横方向を長手方向として前記窓の上方に壁に沿って設置された上部支持部材と、横方向を長手方向として前記家屋の基礎又は地面に固定支持された下部支持部材と、これら上部支持部材と下部支持部材とに上下に架け渡された複数のパネルとを備え、
前記パネルの上部は、前記上部支持部材に取り付けられ、前記パネルの下部は、下部支持部材に取り付けられており、
前記パネルの上部の前記上部支持部材への取付は、前記パネルと前記上部支持部材の何れか一方に設けられた掛止孔又は掛止棒に、前記パネルと前記上部支持部材の何れか一方に設けられた掛止突起又は掛止フックが掛け止められていることにより取り付けられていること
を特徴とする窓割れ防護装置の取付構造。
【請求項２】
前記パネルの上部の前記上部支持部材への取付は、前記パネルの下部を持って地上から着脱可能に掛け止められることにより取り付けられていること
を特徴とする請求項１記載の窓割れ防護装置の取付構造。
【請求項３】
前記パネルの下部の前記下部支持部材への取付は、ボルト接合又はクランプ接合により取り付けられていること
を特徴とする請求項１又は２記載の窓割れ防護装置の取付構造。
【請求項４】
前記パネルの下部の前記下部支持部材への取付は、前記下部支持部材に設けられた嵌合孔に、前記パネルの下端が嵌め込まれていることにより取り付けられていること
を特徴とする請求項１又は２記載の窓割れ防護装置の取付構造。
【請求項５】
前記上部支持部材の上面には、傾斜面が設けられていること
を特徴とする請求項１乃至４の何れか１項記載の窓割れ防護装置の取付構造。
【請求項６】
前記掛止孔には、上部に行くに従って狭くなるテーパーが付けられていること
を特徴とする請求項１乃至５の何れか１項記載の窓割れ防護装置の取付構造。
【請求項７】
前記上部支持部材又は前記下部支持部材には、タップ孔が穿設され、前記パネルが前記上部支持部材又は前記下部支持部材に螺着可能となっていること
を特徴とする請求項１乃至６の何れか１項記載の窓割れ防護装置の取付構造。
【請求項８】
請求項１乃至７の何れか１項記載の窓割れ防護装置の取付構造により前記パネルの下部を持って地上から前記パネルの上部を前記上部支持部材へ掛け止めることで取り付けたことを特徴とする窓割れ防護装置の取付方法。
【発明の詳細な説明】
【技術分野】
【０００１】
本発明は、多雪地域において、積もった雪の側圧によって窓ガラスなどが割れることを防護する窓割れ防護装置に関する。
【背景技術】
【０００２】
多雪地域では、窓の高さまで雪が降り積もり、降り積もった雪の側圧により窓ガラスが割れてしまうという被害が生じている。このような被害の対策としては、従来、窓ガラスから少し離れた位置に木枠などでフレームを組み、その周りへ木質ボードや波板（塩化ビニル製や金属製など）を建て付けたり、ネットを張り巡らしたりすることが行われている。また、雪が降らない期間になると、これらのフレーム等を取り外す必要があった。
【０００３】
しかし、これらの作業は、その家屋の居住者が、材料購入から全て自ら行うものであり、誰にでもできる訳ではなく老人等には困難な作業であった。そして、誰にとっても大変な労力が掛かる作業であった。その上、木質ボードや波板を建て付けた場合は、部屋への採光が取れず、一日中部屋の中が暗くなるという問題があった。
【０００４】
また、特許文献１には、窓枠のサッシュ（４）に金具（２）を取り付け、そこに横板（１）をネジ止めした窓ガラスの破損を防ぐ防御材が開示されている。この防御材によれば、窓ガラスの破損を防ぐことができるとされている（特許文献１の実用新案請求の範囲の請求項１、明細書の段落［０００４］、［０００５］、図面の図３、図４等参照）。
【０００５】
しかし、特許文献１の窓ガラスの破損を防ぐ防御材は、雪の側圧がサッシュに直接作用するものであり、窓枠自体が圧力により損傷するおそれがあるという問題がある。また、この防御材は、横板（１）の両端をそれぞれネジ止めする必要があり、取り付ける部材数が多く、防御材の着脱作業が容易では無いという問題がある。その上、この防御材には、採光用のスリットが入っているものの充分に採光が取れるものではなく、窓から外が見えにくく心理的に圧迫感があると共に、一日中部屋の中が暗くなるという問題があった。
【０００６】
さらに、特許文献２には、窓（窓部２）の上下の壁に取付部材（９、１０）をネジ止めし、この取付部材（９、１０）に格子（上部支持部材４、下部支持部材５、棒体８）を着脱可能に取り付けた雪囲い用部材が開示されている。この雪囲い用部材によれば、屋内から容易に取り付け取り外しができ、窓部の光をできるだけ遮断しないで、且つ、雪の衝撃を確実に防止できるとされている。
【０００７】
しかし、特許文献２の雪囲い用部材は、格子を支持する取付部材（９、１０）が壁に取り付けられているため、雪荷重（雪の側圧）により、壁の取り付け部分が損傷したりするおそれが高いという問題がある。また、この雪囲い用部材は、格子であるため、窓からの採光は取れるものの、降雪が格子をすり抜けて、下部支持部材（５）などの窓周辺に積もり、換気等で窓を開ける際に、積もった雪が室内に入ってしまうという問題がある。その上、この雪囲い用部材は、窓毎に、棒体（８）を複数着脱しなければならず、部品数が多く、手間が掛かるという問題もあった。
【先行技術文献】
【特許文献】
【０００８】
【特許文献１】実用新案登録第３０５４５２７号公報
【特許文献２】特開平１０−２２０１３１号公報
【発明の概要】
【発明が解決しようとする課題】
【０００９】
そこで、本発明は、上述した問題に鑑みて案出されたものであり、その目的とするところは、雪の側圧により壁を損傷するおそれが少なく、窓が割れることを確実に防止することができると共に、脚立作業や高所作業をすることなく地上から容易に着脱することができる窓割れ防護装置の取付構造を提供することにある。
【課題を解決するための手段】
【００１０】
第１発明に係る窓割れ防護装置の取付構造は、積もった雪の側圧により家屋の窓が割れるのを防護する窓割れ防護装置の取付構造であって、前記窓割れ防護装置は、横方向を長手方向として前記窓の上方に壁に沿って設置された上部支持部材と、横方向を長手方向として前記家屋の基礎又は地面に固定支持された下部支持部材と、これら上部支持部材と下部支持部材とに上下に架け渡された複数のパネルとを備え、前記パネルの上部は、前記上部支持部材に取り付けられ、前記パネルの下部は、下部支持部材に取り付けられており、前記パネルの上部の前記上部支持部材への取付は、前記パネルと前記上部支持部材の何れか一方に設けられた掛止孔又は掛止棒に、前記パネルと前記上部支持部材の何れか一方に設けられた掛止突起又は掛止フックが掛け止められていることにより取り付けられていることを特徴とする。
また、第２発明に係る窓割れ防護装置の取付構造は、第１発明において前記パネルの上部の前記上部支持部材への取付は、前記パネルの下部を持って地上から着脱可能に掛け止められることにより取り付けられていることを特徴とする。
【００１１】
第３発明に係る窓割れ防護装置の取付構造は、第１発明又は第２発明において、前記パネルの下部の前記下部支持部材への取付は、ボルト接合又はクランプ接合であることを特徴とする。
【００１２】
第４発明に係る窓割れ防護装置の取付構造は、第１発明又は第２発明において、前記パネルの下部の前記下部支持部材への取付は、前記下部支持部材に設けられた嵌合孔に、前記パネルの下端が嵌め込まれていることを特徴とする。
【００１３】
第５発明に係る窓割れ防護装置の取付構造は、第１乃至第４の何れかの発明において、前記上部支持部材の上面には、傾斜面が設けられていることを特徴とする。
【００１４】
第６発明に係る窓割れ防護装置の取付構造は、第１乃至第５の何れかの発明において、前記掛止孔には、上部に行くに従って狭くなるテーパーが付けられていることを特徴とする。
【００１５】
第７発明に係る窓割れ防護装置の取付構造は、第１乃至第６の何れかの発明において、前記上部支持部材又は前記下部支持部材には、タップ孔が穿設され、前記パネルが前記上部支持部材又は前記下部支持部材に螺着可能となっていることを特徴とする。
【００１６】
第８発明に係る窓割れ防護装置の取付方法は、請求項１乃至第７の何れか１項記載の窓割れ防護装置の取付構造により前記パネルの下部を持って地上から前記パネルの上部を前記上部支持部材へ掛け止めることで取り付けたことを特徴とする。
【発明の効果】
【００１７】
第１発明〜第８発明によれば、地上から容易に手が届かない高所となるパネルの上部の上部支持部材への取付を、掛け止めるなどするだけで行えるので、雪の側圧により壁が損傷するおそれが少なく、窓が割れるのを確実に防止することができると共に、脚立作業や高所作業をすることなく地上から容易に窓割れ防護装置を着脱することができる。
【００１８】
特に、第３発明及び第４発明によれば、地上から容易に手が届くパネルの下部の下部支持部材への取付を、ボルト接合やクランプ接合、嵌合孔とパネルとの嵌合といった簡易且つ強固な固定方法により行うので、パネルの横方向の移動を確実に拘束して固定することができ、風などでパネルが飛ばされるような居住者の意図しないパネルの離脱を防ぐことができる。
【００１９】
特に、第５発明によれば、上部支持部材の上面に傾斜面が設けられているので、上部支持部材の上に雪が積もるおそれが少なく、雪降ろしをしなくてもよくなる。
【００２０】
特に、第６発明によれば、掛止孔にテーパーが付いているので、パネルを掛止突起に引っ掛けて引き下げることで簡易にテーパーの締め付け効果を奏することができる。このことにより、パネルが風圧を受けても掛止孔と掛止突起との嵌合がバタつかず、強固にパネルを上部支持部材へ固定することができる。
【００２１】
特に、第７発明によれば、タップ孔にボルト等をねじ込むことにより、パネルを下部支持部材へ固定できるので、下部支持部材の外部からの作業だけでパネルの下部４６ｂの固定が可能となる。このため、簡易であり、メンテナンスの作業も容易である。また、手などを入れる必要がないため、前述の間隔Ａを小さくすることもできる。
【図面の簡単な説明】
【００２２】
【図１】本発明を適用した一実施の形態である第１実施形態に係る窓割れ防護装置のパネル設置前の状態を示す斜視図である。
【図２】同上の窓割れ防護装置のパネルの一部を実線で残りを一点鎖線で示した斜視図である。
【図３】図２の窓割れ防護装置を２階建家屋に設置した状態を示す立面図である。
【図４】図２の窓割れ防護装置の鉛直断面の概略を模式的に示す断面図である。
【図５】図２の窓割れ防護装置の上部支持部材を示す部分拡大斜視図である。
【図６】図２の窓割れ防護装置の下部支持部材を示す部分拡大斜視図である。
【図７】図２の窓割れ防護装置のパネル単体を示す斜視図である。
【図８】図２の窓割れ防護装置のパネルの上部支持部材への取付構造を示す部分拡大斜視図である。
【図９】図２の窓割れ防護装置のパネルの下部支持部材への取付構造を示す部分拡大斜視図である。
【図１０】本発明の第２実施形態に係る窓割れ防護装置の上部支持部材を示す部分拡大斜視図である。
【図１１】同上の下部支持部材を示す部分拡大斜視図である。
【図１２】同上のパネル単体を示す斜視図である。
【図１３】同上のパネルの上部支持部材への取付構造を示す部分拡大斜視図である。
【図１４】同上のパネルの下部支持部材への取付構造を示す部分拡大斜視図である
【図１５】本発明の第３実施形態に係る窓割れ防護装置の上部支持部材を示す部分拡大斜視図である。
【図１６】同上の下部支持部材を示す部分拡大斜視図である。
【図１７】同上のパネル単体を示す斜視図である。
【図１８】同上のパネルの上部支持部材への取付構造を示す部分拡大斜視図である。
【図１９】同上のパネルの下部支持部材への取付構造を示す部分拡大斜視図である。
【図２０】本発明の第４実施形態に係る窓割れ防護装置の上部支持部材を示す部分拡大斜視図である。
【図２１】同上の下部支持部材を示す部分拡大斜視図である。
【図２２】同上のパネル単体を示す斜視図である。
【図２３】同上のパネルの上部支持部材への取付構造を示す部分拡大斜視図である。
【図２４】同上のパネルの下部支持部材への取付構造を示す部分拡大斜視図である
【図２５】本発明の第５実施形態に係る窓割れ防護装置の上部支持部材を示す部分拡大斜視図である。
【図２６】本発明の第６実施形態に係る窓割れ防護装置のパネルの上部支持部材への取付構造を示す部分拡大斜視図である。
【図２７】同上の上部支持部材を示す鉛直断面図である。
【図２８】同上のパネルの下部支持部材への取付構造を示す部分拡大斜視図である。
【図２９】同上のパネル単体を示す図であり、（ａ）は、平面図、（ｂ）は中間部を省略して示す拡大正面図である。
【図３０】同上のパネルの変形例を中間部を省略して示す拡大正面図である。
【図３１】同上のパネルの掛止孔の周りのバーリング加工を示す部分拡大水平断面であるＡ−Ａ線断面図である。
【発明を実施するための形態】
【００２３】
以下、本発明を適用した窓割れ防護装置を実施するための形態について、図面を参照しながら詳細に説明する。
【００２４】
［第１実施形態］
先ず、図１〜図９を用いて、本発明を適用した一実施の形態である第１実施形態に係る窓割れ防護装置Ｂ１について説明する。
【００２５】
本発明に係る窓割れ防護装置は、家屋の地上階にある窓に設置されるものであり、窓毎に設置されるものではなく、基本的に一続きの壁毎に、壁全面に亘って設けられるものである。このため、本実施の形態では、２階建ての木造家屋の地上階である１階のある一面の壁Ｗに全面に亘って設置する場合を例示して説明する。
【００２６】
第１実施形態に係る窓割れ防護装置Ｂ１は、図１〜図９に示すように、上部支持部材２１と下部支持部材３１と、これらに上下に架け渡された複数のパネル４１とを備え、積もった雪の側圧により家屋の窓Ｗ１が割れるのを防護する機能を有している。
【００２７】
（上部支持部材）
上部支持部材２１は、家屋の壁Ｗに沿ってほぼ鉛直に設置される壁面側平板部２１１と、この壁面側平板部２１１と長手方向に沿って接するように連なり下方へ傾斜する傾斜部２１２と、この傾斜部２１２と長手方向に沿って接するように連なりほぼ鉛直に下がるパネル側平板部２１３と、からなる。この上部支持部材２１は、横方向（図のＹの正逆方向）を長手方向として１階の窓Ｗ１の上方に壁Ｗに沿って設置され、パネル４１の上部を固定する機能を有している。なお、横方向とは、主に水平方向を意味し、多少上下に傾斜している場合を包含する趣旨で使用している。
【００２８】
これらの壁面側平板部２１１、傾斜部２１２、パネル側平板部２１３は、何れも、取り付ける壁Ｗの幅に応じた長さを有した横方向に長い長方形状の鋼製の平板からなり、壁面側平板部２１１が４．５ｍｍ厚で、傾斜部２１２及びパネル側平板部２１３が３．２ｍｍ厚となっている。
【００２９】
また、パネル側平板部２１３には、パネル４１の上部を掛け止める（掛止する）掛止突起Ｔ１が、横方向（図のＹの正逆方向）に所定の間隔をおいて、水平方向に突出するよう板面に対して垂直に突設されている。この掛止突起Ｔ１は、図に示すように、軸の先端に軸の径より大きな径の球体が取り付けられた形状となっており、先端部Ｔ１ａと軸部Ｔ１ｂとを有している。
【００３０】
このような上部支持部材２１は、パネル４１の上部を固定するものであるため、パネル４１が風で煽られても耐えられるように強固に固定する必要がある。このため、上部支持部材２１は、家屋の梁や桁、胴差などの構造材である横架材に沿って設けられ、この横架材に所定の間隔で開けられた穴に打ち込まれたアンカーと壁面側平板部２１１とが、ボルト接合されることで壁Ｗに取り付けられている。なお、アンカーの穴は、壁Ｗの外側からドリルで開けられる関係上、アンカーの周りには、シーリング処理など雨水が横架材に侵入しないような防水処理が施されることが好ましい。
【００３１】
（下部支持部材）
下部支持部材３１は、取り付ける壁Ｗの幅に応じた長さの一般的なＬ形アングル（例えば、６ｍｍ厚×５０ｍｍ×５０ｍｍ）であり、水平部３１１と鉛直部３１２とからなり、水平部３１１が地面Ｇに沿うように敷設されている。また、この下部支持部材３１は、コンクリートブロックやコンクリート平板など地面Ｇに敷き並べられたコンクリートの二次製品に水平部３１１がアンカー止め又は接着されることで地面Ｇに支持・固定されている。なお、水平部３１１がコンクリートの二次製品ではなく、犬走りや床タイルなど地面Ｇに直接打設されたコンクリートなどの床板に固定されていても良いことは云うまでもない。
【００３２】
また、下部支持部材３１の鉛直部３１２には、地面Ｇに沿って略水平な横長の長孔３１３が形成されており、この長孔３１３を介してパネル４１の下部が下部支持部材３１にボルト接合される。このように長孔３１３を介してパネル４１の下部をボルト接合する多少の遊びのある取付構造であるため、上部支持部材２１と下部支持部材３１とが、平行に設置されていない場合であっても、パネル４１を下部支持部材３１に容易に止め付けることができる。
【００３３】
（パネル）
パネル４１は、ガルバリウム鋼板などの上下に細長い長方形状の鋼板を水平断面の中央付近で山形に折り曲げた形状に成型した折板からなるパネル本体４１０を備え、このパネル本体４１０は、所定の幅（本実施の形態では、２６６ｍｍとなっている）と、上部支持部材２１と下部支持部材３１とに上下に架け渡すことができるだけの長さを有し、左縁部４１１、右縁部４１２と、中央の山部４１３と、から構成されている。このパネル４１は、複数枚が並んで設置されることにより、積もった雪の側圧により窓Ｗ１が割れない用に防護すると共に、地面Ｇから窓Ｗ１の上までを覆うことにより降雪が窓周りに積もらないようにする機能を有している。
【００３４】
このパネル４１は、その上部４１ａが上部支持部材２１に掛け止められ（掛止され）、その下部４１ｂが下部支持部材３１にボルト接合されており、雪の側圧に対抗するため、山部４１３の突出した側が外側となるように横方向（図のＹの正逆方向）に間隔Ａをあけて並設されている。この間隔Ａは、少なくとも手が入り、且つ、積もった雪が入り込んでこない程度の所定の間隔であり、本実施の形態では、２５ｍｍ程度の間隔となっている。
【００３５】
このようにパネル４１の設置に間隔Ａを設けたことにより、採光用の開口を確保できると共に、間隔Ａに手が入るため、並設する際にスライドさせて間隔を詰める作業をする必要がなく、容易に設置できる。また、この間隔により、必要なパネル数を低減することができ、設置コストも低減することができる。
【００３６】
また、パネル４１の上部４１ａである左縁部４１１、右縁部４１２の上端付近には、前述の上部支持部材２１の掛止突起Ｔ１に掛け止められる左右一対の掛止孔Ｈ１が穿設されている。各掛止孔Ｈ１は、円形の孔の上部にこの円形の径より小さい径の長孔が連通したような逆鍵孔状の孔であり、径の大きい円形の孔である主孔部Ｈ１ａと、長孔である長孔部Ｈ１ｂと、を有している。
【００３７】
さらに、パネル４１の下部４１ｂである左縁部４１１、右縁部４１２の下端付近には、下部支持部材３１にボルト接合するためのボルト挿通用の長孔Ｎ１が形成されている。この長孔Ｎ１は、パネル４１の左右の縁に沿って上下に長い長孔であり、上下方向の距離に遊びがあるため、横方向に遊びがある前述の長孔３１３の機能と相まって、パネル４１の建て付けが悪い場合であっても、容易にパネル４１を下部支持部材３１に容易に止め付けることができる。
【００３８】
なお、窓Ｗ１から居室内により多く採光を得たい場合は、パネル４１を鋼板ではなく、アクリル板やポリカーボネイト板などの透明又は半透明の板材から形成するとよい。また、パネル４１をパンチングメタルなど孔の開いた有孔折板から構成してもよい。
【００３９】
（パネルの上部支持部材への取付構造）
次に、第１実施形態に係る窓割れ防護装置Ｂ１のパネル４１の上部支持部材２１への取付構造について詳細に説明する。パネル４１の上部支持部材２１への取付は、上部支持部材２１のパネル側平板部２１３に突設された隣接する２つの掛止突起Ｔ１に、パネル４１の左縁部４１１、右縁部４１２の上端付近に穿設された左右一対の掛止孔Ｈ１を掛け止めることで行われる。
【００４０】
具体的手順としては、居住者など窓割れ防護装置Ｂ１を設置する者が、パネル４１の下部４１ｂを手に持ち、地上から自立するパネル４１の上部４１ａに設けられた掛止孔Ｈ１を、窓Ｗ１の上方に壁Ｗに沿って設置された上部支持部材２１の掛止突起Ｔ１に掛け止めることで行われる。
【００４１】
掛止孔Ｈ１の掛止突起Ｔ１への掛け止めは、パネル４１の下部４１ｂを手に持った状態で、掛止突起Ｔ１の径の大きな先端部Ｔ１ａを掛止孔Ｈ１の主孔部Ｈ１ａに通し、軸部Ｔ１ｂに達したところで、パネル４１を離す。すると、パネル４１が自重で下がり、掛止孔Ｈ１の長孔部Ｈ１ｂが掛止突起Ｔ１の軸部Ｔ１ｂに当接することになる。このことにより、掛止突起Ｔ１の先端部Ｔ１ａが、長孔部Ｈ１ｂを通過することができなくなり、パネル４１の上部４１ａが上部支持部材２１に掛け止められ、固定されることとなる。
【００４２】
このようなパネル４１の上部支持部材２１への取付構造によれば、パネル４１の下部４１ｂを手に持って地上からパネル４１の着脱作業ができるため、脚立作業や高所作業をすることなく容易にパネル４１の上部４１ａの着脱をすることができる。
【００４３】
なお、掛止突起Ｔ１と掛止孔Ｈ１との関係は、逆であってもよい。即ち、掛止突起Ｔ１がパネル４１の上部４１ａの左縁部４１１、右縁部４１２に突設され、掛止孔Ｈ１が上部支持部材２１のパネル側平板部２１３に穿設されていてもよい。但し、掛止孔Ｈ１は、自重で掛け止めるため図示したものと上下が逆に設けられている必要がある。逆の構成であっても、居住者等が、パネル４１の下部４１ｂを手に持ち地上から容易に上部支持部材２１にパネル４１を掛け止めることができるからである。
【００４４】
さらに、パネル４１の上部支持部材２１への取付は、パネル４１を上部支持部材２１の内側、即ち、パネル側平板部２１３の壁側（図のＸ逆方向）に取り付けてもよい。そのように取り付ける場合は、多少取り付けにくくなるが、パネル４１の上部４１ａの雨仕舞がよくなり、雪が溜まったりするおそれがなくなる。
【００４５】
また、パネル４１の上部支持部材２１への取付を掛止突起Ｔ１と掛止孔Ｈ１とが掛け止められるものを例示して説明したが、パネルと上部支持部材の何れか一方に強磁性体の金属部材が設けられ、他方に永久磁石が設けられ、これらが磁力により接合されているものであっても構わない。即ち、パネルが上部支持部材へ係止されているものであればよい。ここで、係止とは、掛け止められる（掛止）より広く、両部材が係わりあって固定されていることを指すものとする。
【００４６】
（パネルの下部支持部材への取付構造）
次に、第１実施形態に係る窓割れ防護装置Ｂ１のパネル４１の下部支持部材３１への取付構造について詳細に説明する。パネル４１の下部支持部材３１への取付は、下部支持部材３１にパネル４１の下部４１ｂをボルト接合することにより行う。
【００４７】
具体的な手順としては、居住者等が、パネル４１の下部４１ｂの左縁部４１１、右縁部４１２の下端付近に穿設された長孔Ｎ１、及び下部支持部材３１の鉛直部３１２に穿設された長孔３１３に、Ｍ３程度の六角ボルトを挿通し、ワッシャを噛ましたうえ、ナットで締め付けてボルト接合する。
【００４８】
このようなパネル４１の下部支持部材３１への取付構造によれば、雪の側圧が高く、地上から作業の行い易いパネル４１の下部４１ｂの下部支持部材３１への取付を、簡易且つ強固な固定方法であるボルト接合により行うことができるので、パネルの横方向の移動を確実に拘束して固定することができ、風などでパネルが飛ばされるような居住者の意図しないパネルの離脱を防ぐことができる。なお、積雪時の側圧（横方向の雪荷重）は、雪質にもよるが２ｍの積雪時で８００Ｎ／ｍ2程度であり、それを壁に負担させると経時的に壁が傾き家屋の耐久性に問題が生じ得る。
【００４９】
なお、パネル４１の下部支持部材３１への取付は、パネル４１の下部４１ｂの左縁部４１１、右縁部４１２を、下部支持部材３１の鉛直部３１２にクランプで止め付けるクランプ接合であっても構わない。このような構成とすることで、前記と同様の作用効果を奏することができるからである。
【００５０】
（窓割れ防護装置Ｂ１の作用効果）
以上のように、第１実施形態に係る窓割れ防護装置Ｂ１によれば、雪の側圧の高いパネル４１の下部４１ｂを、下部支持部材３１を介して地面Ｇに支持させることができるので、雪の側圧により壁が倒れるおそれが少なく、窓が割れるのを確実に防止することができる。
【００５１】
また、第１実施形態に係る窓割れ防護装置Ｂ１によれば、一定の幅を有するパネル４１で横方向に間隔Ａをおいて窓Ｗ１を覆っているので、部品点数が少なくて済み、その分作業効率が良くなり、窓割れ防護装置を容易に設置することができる。
【００５２】
なお、第１実施形態に係るパネル４１として開口のない折板からなるものを例示して説明したが、フェンス材やエキスパンドメタルなどの網体、パンチングメタルなど開口を有する板材等を屈曲加工して所定の剛性を有するようにしたものでも構わない。パネルに開口を設けることにより、降雪が入り込むおそれがあるが、開口から採光を取ることができる。
【００５３】
以上、第１実施形態に係る窓割れ防護装置Ｂ１として、壁Ｗに全面に亘って設置する場合を例示して説明したが、窓Ｗ１のある幅分だけ設置しても本発明が成立することは云うまでもない。
【００５４】
［第２実施形態］
次に、図１０〜図１４を用いて、本発明を適用した一実施の形態である第２実施形態に係る窓割れ防護装置Ｂ２について説明する。第１実施形態に係る窓割れ防護装置Ｂ１とは、各部材の機能等は殆ど同一であり、各部材の具体的構成が相違するだけなので、相違する点を中心に説明し、同一構成は同一符号を付し、同一名の部材の機能等の説明は省略する。
【００５５】
第２実施形態に係る窓割れ防護装置Ｂ２は、図１０〜図１４に示すように、上部支持部材２２と下部支持部材３２と、これらに上下に架け渡された複数のパネル４２とを備えている。
【００５６】
（上部支持部材）
上部支持部材２２は、前述の上部支持部材２１とほぼ同一構成であり、壁面側平板部２２１、傾斜部２２２と、パネル側平板部２２３と、からなり、上部支持部材２１と相違する点は、後述の掛止突起Ｔ２を掛け止める掛止孔Ｈ２が傾斜部２２２及びパネル側平板部２２３に形成されている点である。
【００５７】
この掛止孔Ｈ２は、平面視でＴ字状の孔であり、建物側に形成された壁Ｗの壁面に沿った長孔である掛止部Ｈ２ａと、この掛止部Ｈ３ａと直交する長孔である軸挿通部Ｈ２ｂとからなる。隣接する２つの掛止孔Ｈ２が一対となり、これらの掛止孔Ｈ２が左右一対の掛止突起Ｔ２を掛け止める機能を有している。
【００５８】
（下部支持部材）
下部支持部材３２は、図１１に示すように、取り付ける壁Ｗの幅に応じた長さであり、２．３ｍｍ厚の１２５ｍｍ×４０ｍｍの断面長方形状の角形鋼管からなる本体３２０を有しており、この本体３２０の長方形断面の短辺となる側面が、家屋の基礎Ｆの外面に沿って後施工アンカーや接着等により取り付けられている（図１４も参照）。
【００５９】
また、この下部支持部材３２には、前述の長孔３１３と略同形の地面Ｇに沿って略水平な横長の長孔３２３が形成されており、この長孔３２３を介してパネル４２の下部４２ｂが下部支持部材３２にボルト接合される。
【００６０】
（パネル）
パネル４２は、図１２に示すように、溶融亜鉛めっきを施した板厚２ｍｍ程度の一般構造用圧鋼板から断面コの字状に加工されたパネル本体４２０を備え、このパネル本体４２０は、所定の幅（本実施形態では２５０ｍｍ）と、上部支持部材２２と下部支持部材３２とに上下に架け渡すことができるだけの所定の長さを有している。
【００６１】
また、パネル４２には、採光のために、２５ｍｍ程度の幅の長孔形状の開口ＳＨが複数形成されている。但し、パネル４２の開口率は、９０％が上限となっている。パネル４２の開口率が９０％を超えると、積雪の側圧により雪が透過してしまい窓割れ防護装置Ｂ２としての機能を果たさなくなるおそれがあるからである。なお、ここで開口率とは、水平方向に見て上部支持部材と下部支持部材の間の鉛直面の面積におけるパネルで覆っていない部分の面積が占める割合、即ち、当該鉛直面おける水平光線が透過する部分の面積の合を意味し、パネル同士の間隔による開口を含んでいる。
【００６２】
その上、図１２、図１３に示すように、パネル本体４２０の上端付近の壁側（図のＸ反対方向）には、前述の上部支持部材２２の掛止孔Ｈ２に掛け止められる左右一対の掛止突起Ｔ２が突設されている。この掛止突起Ｔ２は、図１２の破線サークル内の部分拡大図に示すように、軸の先端に円盤が垂設された形状であり、円盤部Ｔ２ａと、軸部Ｔ２ｂと、を有している。
【００６３】
このパネル４２は、図１３に示すように、その上部４２ａが上部支持部材２２に掛け止められ（掛止され）、図１４に示すように、その下部４２ｂが下部支持部材３２にボルト接合されており、横方向に間隔Ａをあけて並設されている。
【００６４】
（パネルの上部支持部材への取付構造）
次に、第２実施形態に係る窓割れ防護装置Ｂ２のパネル４２の上部支持部材２２への取付構造について図１３を用いて詳細に説明する。パネル４２の上部支持部材２２への取付は、パネル４２の上部４２ａの壁側に突設された左右一対の掛止突起Ｔ２，Ｔ２が、上部支持部材２２の連接する２つの掛止孔Ｈ２に掛け止めることで行われる。
【００６５】
具体的手順としては、居住者など窓割れ防護装置Ｂ２を設置する者が、パネル４２の下部４２ｂを手に持ち、地上からパネル４２の上部４２ａに設けられた掛止突起Ｔ２を、窓Ｗ１の上方に壁Ｗに沿って設置された上部支持部材２２の掛止孔Ｈ２に差し入れ、居住者等が下部４２ｂを離すことで、パネル４２の自重により、掛止突起Ｔ２が掛止孔Ｈ２に掛けと止められて固定されることで行われる。
【００６６】
このようなパネル４２の上部支持部材２２への取付構造によれば、パネル４２の下部４２ｂを手に持って地上からパネル４２の着脱作業ができるため、脚立作業や高所作業をすることなく容易にパネル４２の上部４２ａの着脱をすることができる。
【００６７】
なお、掛止突起Ｔ２と掛止孔Ｈ２との関係は、逆であってもよい。即ち、掛止突起Ｔ２が上部支持部材２２のパネル側平板部２２３に突設され、掛止孔Ｈ２がパネル本体４２０の上端付近の壁側（図のＸ逆方向）に穿設されていてもよい。但し、掛止孔Ｈ２は、自重で掛け止めるため逆Ｔ字状に設けられている必要がある。この構成でも、居住者等が、パネル４２の下部４２ｂを手に持ち地上から容易に上部支持部材２２にパネル４２を掛け止めることができるからである。
【００６８】
（パネルの下部支持部材への取付構造）
次に、第２実施形態に係る窓割れ防護装置Ｂ２のパネル４２の下部支持部材３２への取付構造について図１４を用いて詳細に説明する。パネル４２の下部支持部材３２への取付は、パネル４２の下部４２ｂが下部支持部材３２にボルト接合されることにより行われる。
【００６９】
なお、基礎Ｆに下部支持部材３２を固定している後施工アンカーを利用して、この後施工アンカーにパネル４２ごと止め付けるようにしてもよい。
【００７０】
このようなパネル４２の下部支持部材３２への取付構造によれば、雪の側圧が高く、地上から作業の行い易いパネル４２の下部４２ｂの下部支持部材３２への取付を、簡易且つ強固な固定方法であるボルト接合により行うことができるので、パネルの横方向の移動を確実に拘束して固定することができ、風などでパネルが飛ばされるような居住者の意図しないパネルの離脱を防ぐことができる。
【００７１】
（窓割れ防護装置Ｂ２の作用効果）
以上のように、第２実施形態に係る窓割れ防護装置Ｂ２によれば、雪の側圧が大きいパネル４２の下部４２ｂを、下部支持部材３２を介して基礎Ｆに支持させることができるので、雪の側圧により壁を損傷するおそれが少なく、窓が割れるのを確実に防止することができる。
【００７２】
また、第２実施形態に係る窓割れ防護装置Ｂ２によれば、一定の幅を有するパネル４２で横方向に間隔Ａをおいて窓Ｗ１を覆っているので、部品点数が少なくて済み、その分作業効率が良くなり、窓割れ防護装置を容易に設置することができる。また、パネル４２には、開口ＳＨが複数穿設されているため、降雪期に窓割れ防護装置Ｂ２を設置している場合であっても、窓Ｗ１から採光が取れ、居住者が明るく健康的に生活することができる。
【００７３】
以上、第２実施形態に係る窓割れ防護装置Ｂ２として、壁Ｗに全面に亘って設置する場合を例示して説明したが、窓Ｗ１のある幅分だけ設置しても本発明が成立することは云うまでもない。
【００７４】
［第３実施形態］
次に、図１５〜図１９を用いて、本発明を適用した一実施の形態である第３実施形態に係る窓割れ防護装置Ｂ３について説明する。第１実施形態に係る窓割れ防護装置Ｂ１とは、各部材の機能等は殆ど同一であり、各部材の具体的構成が相違するだけなので、相違する点を中心に説明し、同一構成は同一符号を付し、同一名の部材の機能等の説明は省略する。
【００７５】
第３実施形態に係る窓割れ防護装置Ｂ３は、図１５〜図１９に示すように、上部支持部材２３と下部支持部材３３と、これらに上下に架け渡された複数のパネル４３とを備えている。
【００７６】
（上部支持部材）
上部支持部材２３は、図１５に示すように、取り付ける壁Ｗの幅に応じた所定の長さであり、２．３ｍｍ厚の１００ｍｍ×５０ｍｍのリップ溝形鋼（Ｃ型チャンネル）からなる本体２３０を有している。この本体２３０は、断面の短辺となる側面が、壁Ｗの壁面に沿って上面が平らで溝部が下方を向くように、後施工アンカーや接着等により取り付けられている。
【００７７】
また、図１５の破線サークル内に示すように、この本体２３０には、後述の掛止孔Ｈ３を掛け止める断面矩形の複数の掛止突起Ｔ３が、横方向（図のＹの正逆方向）に所定の間隔をおいて、切り起こしにより成形されている。
【００７８】
（下部支持部材）
下部支持部材３３は、図１６に示すように、壁Ｗの幅に応じた上部支持部材２３より少し長い所定の長さであり、２．３ｍｍ厚の１００ｍｍ×５０ｍｍのリップ溝形鋼（Ｃ型チャンネル）からなる本体３３０を有している。この本体３３０は、溝部を下にして地面Ｇに沿って後施工アンカーや接着等により取り付けられている。
【００７９】
また、この下部支持部材３３には、パネル４３の下部４３ｂを落とし込んで固定する嵌合孔Ｋ１が形成されている。この嵌合孔Ｋ１は、本体３３０の上面を切り欠いて形成された長方形状の孔であり、間隔Ａをあけて壁Ｗに沿って（図のＹ方向に沿って）複数設けられている。
【００８０】
なお、この下部支持部材３３は、ひとまわり大きなリップ溝形鋼（Ｃ型チャンネル）から構成し、地面Ｇに置いた状態で基礎Ｆに後施工アンカーや接着等により取り付けても構わない。その場合は、上部支持部材２３の幅、即ち壁Ｗから図のＸ方向の上部支持部材２３の突出長さに応じて嵌合孔Ｋ１を設ける位置を調整する。
【００８１】
（パネル）
パネル４３は、図１７に示すように、前述の第１実施形態に係るパネル４１のパネル本体４１０と略同形のパネル本体４３０を有しており、所定の幅と、上部支持部材２３と下部支持部材３３とに上下に架け渡すことができるだけの所定の長さを有し、左縁部４３１、右縁部４３２と、中央の山部４３３と、から構成されている。
【００８２】
このパネル４３は、その上部４３ａが上部支持部材２３に掛け止められ（掛止され）、その下部４３ｂが下部支持部材３３にボルト接合されており、雪の側圧に対抗するため、山部４３３の突出した側が外側となるように横方向（図のＹの正逆方向）に間隔Ａをあけて並設されている（図１８、図１９も参照）。
【００８３】
その上、パネル４３は、図１７に示すように、パネル本体４３０の左縁部４３１、右縁部４３２のそれぞれの上端に、左右一対の断面逆Ｊ字状の掛止フックＦ１，Ｆ１が形成されている。また、この掛止フックＦ１には、図１７の破線サークル内の部分拡大図に示すように、前述の掛止突起Ｔ３に掛け止められる掛止孔Ｈ３が形成されている。
【００８４】
なお、第３実施形態に係るパネル４３として開口のない折板からなるものを例示して説明したが、フェンス材やエキスパンドメタルなどの網体、パンチングメタルなど開口を有する板材等を屈曲加工して所定の剛性を有するようにしたものでも構わない。パネルに開口を設けることにより、降雪が入り込むおそれがあるが、開口から採光を取ることができる。
【００８５】
（パネルの上部支持部材への取付構造）
次に、第３実施形態に係る窓割れ防護装置Ｂ３のパネル４３の上部支持部材２３への取付構造について図１８を用いて詳細に説明する。パネル４３の上部支持部材２３への取付は、パネル４３の上部４３ａの左右一対の掛止フックＦ１，Ｆ１に形成された掛止孔Ｈ３，Ｈ３を、上部支持部材２３の本体２３０に設けられた連接する２つの掛止突起Ｔ３に掛け止めることで行われる。
【００８６】
具体的手順としては、居住者等が、パネル４３の下部４３ｂを手に持ち、地上からパネル４３の掛止フックＦ１に設けられた掛止孔Ｈ３を、窓Ｗ１の上方に壁Ｗに沿って設置された上部支持部材２３の掛止突起Ｔ３に嵌め入れる。その後、居住者等が下部４３ｂを離すことで、パネル４３の自重により、掛止孔Ｈ３が掛止突起Ｔ３に掛けと止められて固定される。
【００８７】
このようなパネル４３の上部支持部材２３への取付構造によれば、パネル４３の下部４３ｂを手に持って地上からパネル４３の着脱作業ができるため、脚立作業や高所作業をすることなく容易にパネル４３の上部４３ａの着脱をすることができる。
【００８８】
（パネルの下部支持部材への取付構造）
次に、第３実施形態に係る窓割れ防護装置Ｂ３のパネル４３の下部支持部材３３への取付構造について図１９を用いて詳細に説明する。パネル４３の下部支持部材３３への取付は、パネル４３の下部４３ｂが下部支持部材３３の嵌合孔Ｋ１に嵌め込まれることで行われる。
【００８９】
具体的手順は、前述のパネル４３の上部支持部材２３への取付手順と同時にパネル４３の下部４３ｂを下部支持部材３３の嵌合孔Ｋ１に嵌め落とすだけで完了する。
【００９０】
このようなパネル４３の下部支持部材３３への取付構造によれば、雪の側圧が大きく、地上から作業の行い易いパネル４３の下部４３ｂの下部支持部材３３への取付を、レンチ等の工具でボルトを締める作業をすることなく、嵌め込むだけの極めて簡単な作業だけで完了させることができる。また、この取付構造によれば、嵌め込むだけでも、パネルの横方向の移動を確実に拘束して固定することができ、風などでパネルが飛ばされるような居住者の意図しないパネルの離脱を防ぐことができる。
【００９１】
（窓割れ防護装置Ｂ３の作用効果）
以上のように、第３実施形態に係る窓割れ防護装置Ｂ３によれば、窓割れ防護装置Ｂ１，Ｂ２と同様の作用効果を奏するだけでなく、汎用品で安価なリップ溝形鋼（Ｃ型チャンネル）や折板などから本装置を構成することができ、設置コストを低減することができる。
【００９２】
以上、第３実施形態に係る窓割れ防護装置Ｂ３として、壁Ｗに全面に亘って設置する場合を例示して説明したが、窓Ｗ１のある幅分だけ設置しても本発明が成立することは云うまでもない。
【００９３】
［第４実施形態］
次に、図２０〜図２４を用いて、本発明を適用した一実施の形態である第４実施形態に係る窓割れ防護装置Ｂ４について説明する。第１実施形態に係る窓割れ防護装置Ｂ１とは、各部材の機能等は殆ど同一であり、各部材の具体的構成が相違するだけなので、相違する点を中心に説明し、同一構成は同一符号を付し、同一名の部材の機能等の説明は省略する。
【００９４】
第４実施形態に係る窓割れ防護装置Ｂ４は、図２０〜図２４に示すように、上部支持部材２４と下部支持部材３４と、これらに上下に架け渡された複数のパネル４４とを備えている。
【００９５】
（上部支持部材）
上部支持部材２４は、図２０に示すように、取り付ける壁Ｗの幅に応じた所定の長さであり、高さ２００ｍｍ×幅１００ｍｍ程度の構造用又は造作用の木材からなる本体２４０を有している。この本体２４０は、断面の長辺となる側面が、壁Ｗの壁面に沿って、ビスなどのネジ止めや接着等により取り付けられている。
【００９６】
また、この本体２４０には、複数の支持金具２４１，・・・，２４１により支持された所定長さの２０ｍｍ径程度の丸パイプ又は丸鋼からなる掛止棒２４２が取り付けられている。
【００９７】
（下部支持部材）
下部支持部材３４は、図２１に示すように、前述の下部支持部材３３の本体３３０と略同形の本体リップ溝形鋼（Ｃ型チャンネル）からなる本体３４０を有しており、下部支持部材３４と下部支持部材３３の相違する点は、嵌合孔の形状だけである。
【００９８】
この下部支持部材３４の嵌合孔Ｋ２は、前述の嵌合孔Ｋ１と相違してパネル４４の断面形状と相似してパネル４４の断面形状より少し大きな形状の孔となっている。このため、第３実施形態に係る嵌合孔Ｋ１と比べて、パネル下部の拘束力が高く、突風などでパネル４４が飛ばされる可能性がより低くなっている。
【００９９】
（パネル）
パネル４４は、図２２に示すように、前述の第３実施形態に係るパネル４３のパネル本体４３０と略同形のパネル本体４４０を有しており、このパネル本体４４０は、所定の幅と、上部支持部材２４と下部支持部材３４とに上下に架け渡すことができるだけの所定の長さを有し、左縁部４４１、右縁部４４２と、中央の山部４４３と、から構成されている。
【０１００】
このパネル４４は、その上部４４ａが上部支持部材２４に掛け止められ（掛止され）、その下部４４ｂが下部支持部材３４にボルト接合されており、雪の側圧に対抗するため、山部４４３の突出した側が外側となるように横方向（図のＹの正逆方向）に間隔Ａをあけて並設されている（図２３、図２４も参照）。
【０１０１】
その上、パネル４４は、図２２に示すように、パネル本体４４０の左縁部４４１、右縁部４４２のそれぞれの上端に、前述の掛止棒２４２に掛け止める左右一対の断面逆Ｊ字状の掛止フックＦ２，Ｆ２が形成されている。
【０１０２】
（パネルの上部支持部材への取付構造）
次に、第４実施形態に係る窓割れ防護装置Ｂ４のパネル４４の上部支持部材２４への取付構造について図２３を用いて詳細に説明する。パネル４４の上部支持部材２４への取付は、パネル４４の上部４４ａの左右一対の掛止フックＦ２，Ｆ２が、上部支持部材２４の掛止棒２４２に掛け止められることで行われる。
【０１０３】
具体的手順としては、居住者等が、パネル４４の下部４４ｂを手に持ち、地上からパネル４４の掛止フックＦ２を、窓Ｗ１の上方に壁Ｗに沿って設置された上部支持部材２４の掛止棒２４２に引っ掛ける。その後、居住者等が下部４４ｂを離すことで、パネル４４の自重により、掛止フックＦ２が掛止棒２４２に掛けと止められて固定される。
【０１０４】
このようなパネル４４の上部支持部材２４への取付構造によれば、パネル４４の下部４４ｂを手に持って引っ掛けるだけの極めて簡単な方法により地上からパネル４４の着脱作業ができるため、脚立作業や高所作業をすることなく容易にパネル４４の上部４４ａの着脱をすることができる。
【０１０５】
（パネルの下部支持部材への取付構造）
次に、第４実施形態に係る窓割れ防護装置Ｂ４のパネル４４の下部支持部材３４への取付構造について図２４を用いて詳細に説明する。パネル４４の下部支持部材３４への取付は、パネル４４の下部４４ｂが下部支持部材３４の嵌合孔Ｋ２に嵌め込まれることで行われる。
【０１０６】
具体的手順は、前述のパネル４４の上部支持部材２４への取付手順と同時にパネル４４の下部４４ｂを下部支持部材３４の嵌合孔Ｋ２に嵌め落とすだけで完了する。
【０１０７】
このようなパネル４４の下部支持部材３４への取付構造によれば、積雪の側圧が大きいパネル４４の下部４３ｂの下部支持部材３４への取付を、嵌め落とすだけの極めて簡単な作業だけで完了させることができる。また、この取付構造によれば、前述の第３実施形態の係る取付構造と比べても、パネルの横方向の固定拘束力が高く、風などでパネルが飛ばされるような居住者の意図しないパネルの離脱を確実に防ぐことができる。
【０１０８】
（窓割れ防護装置Ｂ４の作用効果）
以上のように、第４実施形態に係る窓割れ防護装置Ｂ４によれば、窓割れ防護装置Ｂ１，Ｂ２，Ｂ３と同様の作用効果を奏するだけでなく、パネル４４の上部支持部材２４への取付構造が引っ掛けるだけの極めて簡単な方法で固定できるだけでなく、同時にパネル４４の下部４４ｂを下部支持部材３４の嵌合孔Ｋ２に嵌め落とすだけで取り付けることができ、降雪期の前後の着脱作業が極めて容易である。その上、パネル４４の下部支持部材３４への取付構造も固定拘束力が高く、パネル４４が外れてしまうおそれが少ない。
【０１０９】
以上、第４実施形態に係る窓割れ防護装置Ｂ４として、壁Ｗに全面に亘って設置する場合を例示して説明したが、窓Ｗ１のある幅分だけ設置しても本発明が成立することは云うまでもない。
【０１１０】
［第５実施形態］
次に、図２５を用いて、本発明を適用した一実施の形態である第５実施形態として、前述の上部支持部材の変形例について説明する。下部支持部材、パネルなど各部材の機能等は殆ど同一であるため、上部支持部材以外の説明は省略する。
【０１１１】
（上部支持部材）
第５実施形態に係る上部支持部材２５は、家屋の壁Ｗに沿ってほぼ鉛直に設置される壁面側平板部２５１と、この壁面側平板部２５１と長手方向に沿って接するように連なり下方へ傾斜する傾斜部２５２と、この傾斜部２５２と長手方向に沿って接するように連なりほぼ鉛直に下がるパネル側平板部２５３と、からなる。この上部支持部材２５は、横方向（図のＹの正逆方向）を長手方向として１階の窓Ｗ１の上方に壁Ｗに沿って設置され、パネル（例えば、パネル４１〜４４）の上部を固定する機能を有している。
【０１１２】
これらの壁面側平板部２５１、傾斜部２５２、パネル側平板部２５３は、取り付ける壁Ｗの幅に応じた長さを有した長方形状の鋼製平板から折り曲げ成形されており、壁面側平板部２５１が後施工アンカー等でボルト止めされることにより、上部支持部材２５が壁Ｗに取り付けられている。
【０１１３】
また、パネル側平板部２５３には、パネルの上部を掛け止める掛止突起Ｔ４が、横方向（図のＹの正逆方向）に所定の間隔をおいて突設されている。この掛止突起Ｔ４は、図２５の破線サークル内の部分拡大図に示すように、釣り針状（Ｊ字状）のフックとなっている。
【０１１４】
［第６実施形態］
次に、図２６〜図２９を用いて、本発明を適用した一実施の形態である第６実施形態に係る窓割れ防護装置Ｂ６について説明する。第１実施形態に係る窓割れ防護装置Ｂ１とは、各部材の機能等は殆ど同一であり、各部材の具体的構成が相違するだけなので、相違する点を中心に説明し、同一構成は同一符号を付し、同一名の部材の機能等の説明は省略する。
【０１１５】
第６実施形態に係る窓割れ防護装置Ｂ６は、図２６〜図２８等に示すように、上部支持部材２６と下部支持部材３６と、これらに上下に架け渡された複数のパネル４６とを備えている。
【０１１６】
（上部支持部材）
上部支持部材２６は、図２６、図２７等に示すように、ステンレス鋼板から折り曲げ成形された、前述の上部支持部材２１とほぼ同一形状である壁面側平板部２６１、傾斜部２６２と、パネル側平板部２６３と、を備え、前述上部支持部材２１と相違する点は、壁面側平板部２６１、パネル側平板部２６３との間に、これらの間隔が狭まったり広がったりすることを防止する構造材としてステンレス製の溝形鋼（Ｃ型チャンネル）２６４が介装されている点である。
【０１１７】
また、パネル側平板部２６３には、図２６、図２７等に示すように、掛止突起Ｔ５が突設されている。この掛止突起Ｔ５は、図２７等に示すように、ボルトＴ５ａが、パネル４６が外れるのを防止できる大きさのワッシャＴ５ｂがボルトヘッド側に装着された上、円筒状のパイプスペーサＴ５ｃを嵌装してダブルナットでパネル側平板部２６３及び溝形鋼２６４にネジ止め固定（螺着）されている。なお、パイプスペーサＴ５ｃのパネル側平板部２６３側にもワッシャが介装されている。
【０１１８】
（下部支持部材）
下部支持部材３６は、図２８に示すように、取り付ける壁Ｗの幅に応じた長さからなる溝形鋼２６４と同様のステンレス製の溝形鋼（Ｃ型チャンネル）からなる本体３６０を備えており、この本体３６０が、溝側を下にして、家屋の基礎Ｆや地面Ｇに後施工アンカーや接着等により取り付けられて固定されている。
【０１１９】
また、この下部支持部材３６には、ボルトを装着するための雌ねじが切られたタップ孔３６１が穿設されており、外部からのみ作業で下部支持部材３６にパネルをボルト止めすることが可能となっている。
【０１２０】
（パネル）
パネル４６は、ステンレス鋼板を水平断面の中央付近で山形に折り曲げた形状に成型した折板からなるパネル本体４６０を備え、このパネル本体４６０は、所定の幅と、上部支持部材２６と下部支持部材３６とに上下に架け渡すことができるだけの長さを有し、左縁部４６１、右縁部４６２と、中央の山部４６３と、から構成されている。また、このパネル４６は、採光のために、縦長な長孔形状の開口ＳＨ２が複数穿設されたパンチングメタルから構成されている。但し、パネル４６の開口率は、前述のパネル４２と同様に９０％が上限となっている。
【０１２１】
このパネル４６は、図２６に示すように、その上部４６ａが上部支持部材２６に掛け止められ（掛止され）、図２８に示すように、その下部４６ｂが下部支持部材３６に螺着されており、横方向に前述の間隔Ａをあけて並設されている。
【０１２２】
また、図２６、図２９に示すように、パネル４６の上部４６ａである左縁部４６１、右縁部４６２の上端付近には、前述の上部支持部材２６の掛止突起Ｔ５に掛け止められる左右一対の掛止孔Ｈ４が穿設されている。各掛止孔Ｈ４は、円形の孔の上部にこの円形の径より小さい径の長孔が連通したような逆鍵孔状の孔であり、径の大きい円形の孔である主孔部Ｈ４ａと、長孔である長孔部Ｈ４ｂと、を有している。
【０１２３】
この長孔部Ｈ４ｂは、上部に行くに従って狭くなるようテーパーが付いており、上端は、パイプスペーサＴ５ｃの外形よりも小さい幅である。予定留め付け高さでパイプスペーサＴ５ｃの外径と同径の孔となるように形成され、パネル４６の自重でテーパーに案内されて掛止突起Ｔ５のパイプスペーサＴ５ｃにガッチリ嵌り込んでパネル４６がバタつかないようになっている。
【０１２４】
このテーパーの角度は、本実施形態では、鉛直線となす角θが施工試験により求めた４度に設定されている。なお、施工試験において、パネル４６を掛止突起Ｔ５に掛け止める際に、ズレ難く自重でパイプスペーサＴ５ｃにガッチリ嵌り込むためには、３°〜５°が好ましかった。
【０１２５】
さらに、パネル４６の下部４６ｂである左縁部４６１、右縁部４６２の下端付近には、下部支持部材３６にボルト接合するための調整孔Ｎ２が形成されている。この調整孔Ｎ２は、通常のボルト孔より径の大きな孔であり、上下左右方向に遊びがあるため、パネル４６の建て付けが悪い場合であっても、容易にパネル４６を下部支持部材３６に容易に止め付けることができるようになっている。
【０１２６】
（パネルの上部支持部材への取付構造）
次に、図２６を用いて、第６実施形態に係る窓割れ防護装置Ｂ６のパネル４６の上部支持部材２６への取付構造について詳細に説明する。パネル４６の上部支持部材２６への取付は、上部支持部材２６のパネル側平板部２６３に突設された隣接する２つの掛止突起Ｔ５に、パネル４６の左縁部４６１、右縁部４６２の上端付近に穿設された左右一対の掛止孔Ｈ４を掛け止めることで行われる。
【０１２７】
掛止孔Ｈ４の掛止突起Ｔ５への掛け止めは、パネル４６の下部４６ｂを手に持った状態で、掛止突起Ｔ５の径の大きなワッシャＴ５ｂを掛止孔Ｈ４の主孔部Ｈ４ａに通し、パイプスペーサＴ５ｃに達したところで、パネル４６を離す。すると、パネル４６が自重で下がるか人力で引き下げることにより、長孔部Ｈ４ｂのテーパーに案内されて掛止突起Ｔ５のパイプスペーサＴ５ｃにこのパイプスペーサＴ５ｃの外径と同じ内径の長孔部Ｈ４ｂの上端が当接するまで掛止孔Ｈ４が掛止突起Ｔ５にガッチリ嵌り込むこととなる。
【０１２８】
このようなパネル４６の上部支持部材２１への取付構造によれば、前述の作用効果に加え、掛止孔Ｈ４にテーパーが付いていることにより、引っ掛けて引き下げることで簡易に長孔部Ｈ４ｂのテーパーの締め付け効果を奏することができる。このことにより、パネル４６が風圧を受けても掛止孔Ｈ４と掛止突起Ｔ５との嵌合がバタつかず、風のよるビビリ音などが発生させることなく強固にパネル４６を上部支持部材２６へ固定することができる。
【０１２９】
（パネルの下部支持部材への取付構造）
次に、図２８を用いて、第６実施形態に係る窓割れ防護装置Ｂ６のパネル４６の下部支持部材３６への取付構造について詳細に説明する。パネル４６の下部支持部材３６への取付は、下部支持部材３６にパネル４６の下部４６ｂを螺着することにより行う。
【０１３０】
具体的な手順としては、居住者等が、パネル４６の下部４６ｂの左縁部４６１、右縁部４６２の下端付近に穿設された調整孔Ｎ２にＭ３程度の六角ボルトＢＢを調整孔Ｎ２より大きな径のワッシャを介して挿通し、下部支持部材３６に穿設されたタップ孔３６１に、六角ボルトＢＢをねじ込むことでパネル４６を下部支持部材３６へ螺着して固定する。
【０１３１】
このようなパネル４６の下部支持部材３６への取付構造によれば、前述の作用効果に加え、タップ孔３６１に六角ボルトＢＢをねじ込むことにより、パネル４６を下部支持部材３６へ固定できるので、下部支持部材３６の溝形鋼の溝内部に手や工具を入れてナットを回したり、固定したりする必要がなく、下部支持部材３６の外部からの作業だけでパネル４６の下部４６ｂの固定が可能となる。このため、パネル４６の取り付けが簡易であり、メンテナンスの作業も容易である。また、手などを入れる必要がないため、前述の間隔Ａを小さくすることもできる。
【０１３２】
（窓割れ防護装置Ｂ６の作用効果）
以上のように、第６実施形態に係る窓割れ防護装置Ｂ６によれば、掛止孔Ｈ４にテーパーが付いていることにより、パネル４６が風圧を受けても掛止孔Ｈ４と掛止突起Ｔ５との嵌合がバタつかず、強固にパネル４６を上部支持部材２６へ固定することができる。
【０１３３】
また、第６実施形態に係る窓割れ防護装置Ｂ６によれば、タップ孔３６１に六角ボルトＢＢをねじ込むことにより、パネル４６を下部支持部材３６へ固定できるので、下部支持部材３６の外部からの作業だけでパネル４６の下部４６ｂの固定が可能となる。このため、簡易であり、メンテナンスの作業も容易である。また、手などを入れる必要がないため、前述の間隔Ａを小さくすることもできる。
【０１３４】
［第７実施形態］
次に、図３０、図３１を用いて、本発明を適用した一実施の形態である第７実施形態として、前述の第６実施形態に係るパネル４６の変形例であるパネル４７について説明する。第７実施形態に係るパネル４７が、第６実施形態に係るパネル４６と相違する点は、掛止孔Ｈ４が掛止孔Ｈ５となっている点だけなので、同一構成は同一符号を付し説明を省略する。
【０１３５】
パネル４７の掛止孔Ｈ５は、径の大きい円形の孔と長孔とからなる鍵穴形状の孔ではなく、図３０に示すように、全体がテーパーのついた長孔からなっている。このテーパーの角度は、前述の掛止孔Ｈ４と同様に、鉛直線となす角θが施工試験により求めた４度（３°〜５°が好ましい）に設定されている。
【０１３６】
また、この掛止孔Ｈ５は、図３１に示すように、孔回りの強度確保のためバーリング加工が施されている。このため、風などでパネル４７が煽られた場合であっても、掛止孔Ｈ５が掛止突起Ｔ５で抉られて変形してしまうことを防止することができる。
【０１３７】
以上、本発明の第１実施形態〜第７実施形態に係る窓割れ防護装置Ｂ１〜Ｂ６及びパネルの変形例について詳細に説明したが、前述した又は図示した実施の形態は、何れも本発明を実施するにあたって具体化した一実施の形態を示したものに過ぎず、これらによって本発明の技術的範囲が限定的に解釈されてはならないものである。
【０１３８】
特に、パネルとして屈曲成型されているものを例示して説明したが、下部を手に持ったときに、自立する程度の所定の剛性を有したものであれば、線材が縦横に配置されて溶接もしくはクリンプされた金網材、パンチングメタル、エキスパンドメタルなど、屈曲成型されていないものでも本発明に適用することができる。また、パネルの材質も鉄、アルミ、ステンレス、樹脂、木質材など限定されるものではない。
【０１３９】
そして、上部支持部材、下部支持部材の材質も例示した鋼材や木材に限らず、所定の剛性を有した長尺の条材であればよく、地面や基礎へ固定することができ、雪の側圧や風圧等が地面や基礎へ伝達できるものであればよい。また、タップ孔についても上部支持部材とパネルとの取付構造にも適用でき、バーリング加工についても、掛止孔Ｈ１〜Ｈ４等の全ての孔に適用することができるのは、云うまでもない。
【符号の説明】
【０１４０】
Ｂ１、Ｂ２、Ｂ３、Ｂ４、Ｂ６      ：窓割れ防護装置
２１、２２，２３、２４、２５、２６：上部支持部材
２４２                            ：掛止棒
３１、３２、３３、３４、３５、３６：下部支持部材
４１、４２、４３、４４、４６、４７：パネル
Ｔ１、Ｔ２、Ｔ３、Ｔ４、Ｔ５      ：掛止突起
Ｈ１、Ｈ２、Ｈ３、Ｈ４、Ｈ５      ：掛止孔
Ｆ１、Ｆ２                        ：掛止フック
Ｋ１、Ｋ２                        ：嵌合孔
Ｗ                                ：壁
Ｗ１                              ：窓
Ｇ                                ：地面
Ｆ                                ：基礎
【図１】
0006466779.tif 000002
【図２】
0006466779.tif 000003
【図３】
0006466779.tif 000004
【図４】
0006466779.tif 000005
【図５】
0006466779.tif 000006
【図６】
0006466779.tif 000007
【図７】
0006466779.tif 000008
【図８】
0006466779.tif 000009
【図９】
0006466779.tif 000010
【図１０】
0006466779.tif 000011
【図１１】
0006466779.tif 000012
【図１２】
0006466779.tif 000013
【図１３】
0006466779.tif 000014
【図１４】
0006466779.tif 000015
【図１５】
0006466779.tif 000016
【図１６】
0006466779.tif 000017
【図１７】
0006466779.tif 000018
【図１８】
0006466779.tif 000019
【図１９】
0006466779.tif 000020
【図２０】
0006466779.tif 000021
【図２１】
0006466779.tif 000022
【図２２】
0006466779.tif 000023
【図２３】
0006466779.tif 000024
【図２４】
0006466779.tif 000025
【図２５】
0006466779.tif 000026
【図２６】
0006466779.tif 000027
【図２７】
0006466779.tif 000028
【図２８】
0006466779.tif 000029
【図２９】
0006466779.tif 000030
【図３０】
0006466779.tif 000031
【図３１】
0006466779.tif 000032